【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
少なくとも２つの被溶解成分及び／又は被抽出成分と該成分に供給される水等のある量の液体とから、消費に適した飲料を用意する方法であって、
第１の成分を第１のホルダシステム内で利用するステップと、
第２の成分を第２のホルダシステム内で利用するステップとを含み、
前記第２の成分は、前記第１の成分とは異なり、
高温水等の前記ある量の液体の所定の第１の部分の前記第１のホルダシステムへの供給を液体供給手段によって制御して、前記液体を該第１のホルダシステムに流し通すことによって前記第１の成分を溶解又は抽出させることで、第１の飲料部分を得るステップと、
前記ある量の液体の所定の第２の部分の前記第２のホルダシステムへの供給を前記液体供給手段によって制御して、前記第２の成分を溶解又は抽出させるように前記液体を該第２のホルダシステムに流し通すことで、第２の飲料部分を得るステップとをさらに含み、
前記第１の飲料部分及び前記第２の飲料部分を組み合わせることで、前記飲料を得ると共に、最初に前記ある量の液体の前記第２の部分を前記第２のホルダシステムに供給し、その後で前記ある量の液体の前記第１の部分を前記第１のホルダシステムに供給し、前記第１の飲料部分を、前記第１のホルダシステムから前記第２のホルダシステムにも供給し、その後で、前記第２のホルダシステムから、前記第２の飲料部分と組み合わせることを特徴とする、消費に適した飲料を用意する方法。
【請求項２】
前記第１の成分は、挽いたコーヒー等の被抽出製品を含み、前記第１のホルダシステムは、前記第１の成分及び該第１の成分が含まれる第１のカバーを備える第１の小袋を備え、前記第１のカバーは、水を透過させると共に前記第１の成分に対するバリアを形成するろ紙等のシート状材料から少なくとも部分的に作製され、前記第２の成分は、クリーマ／粉乳等の水溶性製品を含み、前記第２のホルダシステムは、前記第２の成分及び該第２の成分が含まれる第２のカバーを備える第２の小袋を備え、前記第２のカバーは、前記液体を透過させると共に前記第２の成分に対するバリアを形成するろ紙等のシート状材料から少なくとも部分的に作製されることを特徴とする、請求項１に記載の消費に適した飲料を用意する方法。
【請求項３】
前記第１のホルダシステムは、少なくとも１つの流入側及び少なくとも１つの流出側を有する第１のホルダをさらに備え、前記第１の小袋は該第１のホルダに含まれ、前記第２のホルダシステムは、流入側及び流出側を有する第２のホルダをさらに備え、前記第２の小袋は該第２のホルダに含まれ、前記ある量の液体の前記第２の部分を該第２のホルダの前記流入側に供給して、前記液体が前記第２の小袋を通って流れることで、前記第２のホルダの前記流出側を経て該第２のホルダから出る前記第２の飲料部分を得るようにすると共に、前記ある量の液体の前記第１の部分を前記第１のホルダの前記流入側に供給して、前記液体が前記第１の小袋を通って流れることで、前記第１のホルダの前記流出側を経て該第１のホルダから出る前記第１の飲料部分を得るようにすることを特徴とする、請求項２に記載の消費に適した飲料を用意する方法。
【請求項４】
前記第１のホルダから出る前記第１の飲料部分を、前記第２のホルダの前記流入側に供給して、前記第１の飲料部分が前記第２の小袋を通って流れ、それから前記第２のホルダの前記流出側を経て該第２のホルダから出るようにすることを特徴とする、請求項１及び３に記載の消費に適した飲料を用意する方法。
【請求項５】
前記第２の飲料部分は、最初に前記第１のホルダの前記流入側に供給され、続いて前記第２のホルダの前記流入側に迂回させられて、前記第１のホルダを通って流れずに前記第２のホルダを通って流れることを特徴とする、請求項３又は４に記載の消費に適した飲料を用意する方法。
【請求項６】
前記第１のホルダシステム及び前記第２のホルダシステムは、収集容器に含まれることを特徴とする、請求項１ないし５のいずれか１項に記載の消費に適した飲料を用意する方法。
【請求項７】
前記収集容器は、流入開口及び流出開口を備え、前記ある量の液体の前記第１の部分及び前記第２の部分は、前記収集容器に供給され、このとき、前記ある量の液体の前記第２の部分は、前記第２のホルダシステムに送られ、前記ある量の液体の前記第１の部分は、前記第１のホルダシステムに送られることを特徴とする、請求項６に記載の消費に適した飲料を用意する方法。
【請求項８】
前記第１の飲料部分及び前記第２の飲料部分は、カップ又はマグ等の第３の容器内で組み合わせられることを特徴とする、請求項１ないし７のいずれか１項に記載の消費に適した飲料を用意する方法。
【請求項９】
前記第２の飲料部分に空気で泡立てられることを特徴とする、請求項１ないし８のいずれか１項に記載の消費に適した飲料を用意する方法。
【請求項１０】
前記第１の飲料部分に空気で泡立てられることを特徴とする、請求項１ないし９のいずれか１項に記載の消費に適した飲料を用意する方法。
【請求項１１】
前記ある量の液体の前記第１の部分は、前記第１のホルダシステムに加圧状態で供給されることを特徴とする、請求項１ないし１０のいずれか１項に記載の消費に適した飲料を用意する方法。
【請求項１２】
前記ある量の液体の前記第２の部分は、前記第２のホルダシステムに加圧状態で供給されることを特徴とする、請求項１ないし１１のいずれか１項に記載の消費に適した飲料を用意する方法。
【請求項１３】
前記ある量の液体の前記第１の部分は、加熱されることを特徴とする、請求項１ないし１２のいずれか１項に記載の消費に適した飲料を用意する方法。
【請求項１４】
前記ある量の液体の前記第２の部分は、加熱されることを特徴とする、請求項１ないし１３のいずれか１項に記載の消費に適した飲料を用意する方法。
【請求項１５】
前記第１の飲料部分は、噴流の形態で分配されることを特徴とする、請求項１ないし１４のいずれか１項に記載の消費に適した飲料を用意する方法。
【請求項１６】
前記第２の飲料部分は、噴流の形態で分配されることを特徴とする、請求項１ないし１５のいずれか１項に記載の消費に適した飲料を用意する方法。
【請求項１７】
少なくとも２つの被溶解成分及び／又は被抽出成分と該成分に供給される水等のある量の液体とから、消費に適した飲料を用意する装置であって、第１の成分が含まれると共に少なくとも１つの流入側及び少なくとも１つの流出側を備える第１のホルダシステムを備え、第２の成分が含まれると共に少なくとも１つの流入側及び少なくとも１つの流出側を備える第２のホルダシステムをさらに備え、前記ある量の液体の所定の第１の部分の前記第１のホルダシステムの前記流入側への供給を制御して、前記液体を該第１のホルダシステムに流し通すことによって前記第１の成分を抽出又は溶解させることで、前記第１のホルダシステムの前記流出側を経て該第１のホルダシステムから出る第１の飲料部分を得るようにすると共に、前記ある量の液体の所定の第２の部分の前記第２のホルダシステムの前記流入側への供給を制御して、前記液体を該第２のホルダシステムに流し通すことによって前記第２の成分を抽出又は溶解させることで、前記第２のホルダシステムの前記流出側を経て該第２のホルダシステムから出る第２の飲料部分を得るようにする、液体供給手段をさらに備え、前記第１の飲料部分及び前記第２の飲料部分をカップ又はマグ等の受入容器に分配するようにさらに設計され、前記液体供給手段は、最初に前記ある量の液体の前記第２の部分を前記第２のホルダシステムに供給し、その後で前記ある量の液体の前記第１の部分を前記第１のホルダシステムに供給するように、設計されており、前記第１のホルダシステムの前記流出側は、使用の際に、前記第１の飲料部分が前記第１のホルダシステムの前記流出側から前記第２のホルダシステムの前記流入側を経て前記第２のホルダシステムに供給され、それから前記第２のホルダシステムの前記流出側において該第２のホルダシステムから流れるように、該第２のホルダシステムの前記流入側と流体連通することを特徴とする、消費に適した飲料を用意する装置。
【請求項１８】
前記液体供給手段は、前記第１のホルダシステムの前記流入側から前記第２のホルダシステムの前記流入側まで延びるシール可能且つ開放可能なバイパスチャネルを備え、該バイパスチャネルが開いている間に前記ある量の液体の前記第２の部分を前記第１のホルダシステムの前記流入側に供給して、前記ある量の液体の前記第２の部分が前記バイパスチャネル及び該第２のホルダシステムの前記流入側を経て該第２のホルダシステムを通って直接流れて前記第２の成分を溶解又は抽出させることで、前記第２のホルダシステムの前記流出側を経て該第２のホルダシステムから出る前記第２の飲料部分を得ると共に、前記バイパスチャネルが閉じている間に前記ある量の液体の前記第１の部分を前記第１のホルダシステムの前記流入側に供給して、前記ある量の液体の前記第１の部分が前記第２のホルダシステムの前記流入側を経て該第１のホルダシステムを通って流れて前記第１の成分を溶解又は抽出させることで、前記第１のホルダシステムの前記流出側を経て該第１のホルダシステムから出る前記第１の飲料部分を得るように、さらに設計されることを特徴とする、請求項１７に記載の消費に適した飲料を用意する装置。
【請求項１９】
前記バイパスチャネルの入口が、前記第１のホルダシステムの外部の前記流入側付近に位置付けられることを特徴とする、請求項１８に記載の消費に適した飲料を用意する装置。
【請求項２０】
前記第１のホルダシステム及び前記第２のホルダシステムが含まれる収集容器をさらに備えることを特徴とする、請求項１７ないし１９のいずれか１項に記載の消費に適した飲料を用意する装置。
【請求項２１】
前記収集容器は、少なくとも１つの流入開口及び少なくとも１つの流出開口と、該収集容器の前記流入開口から前記流出開口まで延びる液体流路とを備え、前記第１のホルダシステム及び前記第２のホルダシステムは、該第１のホルダシステム及び該第２のホルダシステムそれぞれが前記液体流路におけるバリアを形成するように前記収集容器の前記液体流路に含まれ、前記第１のホルダシステムは、前記収集容器の前記液体流路において前記第２のホルダシステムの上流に位置し、開閉される前記バイパスチャネルは、前記液体流路の前記第１のホルダシステムの上流に位置する位置から該液体流路の該第１のホルダシステムの下流で且つ前記第２のホルダシステムの上流の位置まで延びることを特徴とする、請求項１８及び２０に記載の消費に適した飲料を用意する装置。
【請求項２２】
前記第１のホルダシステムは、前記第１の成分及び該第１の成分が含まれる第１のカバーを備える第１の小袋を備え、該第１のカバーは、前記液体を透過させると共に前記第１の成分に対するバリアを形成するろ紙等のシート状材料から少なくとも部分的に作製され、前記第２のホルダシステムは、前記第２の成分及び該第２の成分が含まれる第２のカバーを備える第２の小袋を備え、該第２のカバーは、前記液体を透過させると共に前記第２の成分に対するバリアを形成するろ紙等のシート状材料から少なくとも部分的に作製されることを特徴とする、請求項１７ないし２０のいずれか１項に記載の消費に適した飲料を用意する装置。
【請求項２３】
前記第１のホルダシステムは、少なくとも１つの流入開口及び少なくとも１つの流出開口を有する第１のホルダをさらに備え、前記第１の小袋は該第１のホルダに含まれ、前記第２のホルダシステムは、流入開口及び流出開口を有する第２のホルダをさらに備え、使用時に前記第２の小袋は該第２のホルダに含まれ、前記ある量の液体の前記第２の部分を前記第２のホルダの前記流入開口に供給して、前記液体が前記第２の小袋を通って流れることで、前記第２のホルダの前記流出開口を経て該第２のホルダから出る前記第２の飲料部分を得るようにすると共に、前記ある量の液体の前記第１の部分を前記第１のホルダの前記流入開口に供給して、前記液体が前記第１の小袋を通って流れることで、前記第１のホルダの前記流出開口を経て該第１のホルダから出る前記第１の飲料部分を得るようにすることを特徴とする、請求項２２に記載の消費に適した飲料を用意する装置。
【請求項２４】
前記液体供給手段は、前記ある量の液体の前記第１の部分を加圧状態で前記第１のホルダシステムに供給するように設計されることを特徴とする、請求項１７ないし２３のいずれか１項に記載の消費に適した飲料を用意する装置。
【請求項２５】
前記液体供給手段は、前記ある量の液体の前記第２の部分を加圧状態で前記第２のホルダシステムに供給するように設計されることを特徴とする、請求項１７ないし２４のいずれか１項に記載の消費に適した飲料を用意する装置。
【請求項２６】
前記液体供給手段は、前記ある量の液体の前記第１の部分を加熱するように設計されることを特徴とする、請求項１７ないし２５のいずれか１項に記載の消費に適した飲料を用意する装置。
【請求項２７】
前記液体供給手段は、前記ある量の液体の前記第２の部分を加熱するように設計されることを特徴とする、請求項１７ないし２６のいずれか１項に記載の消費に適した飲料を用意する装置。
【請求項２８】
前記液体供給手段は、最初に前記ある量の液体の前記第２の部分を前記第２のホルダシステムに供給し、その後で前記ある量の液体の前記第１の部分を前記第１のホルダシステムに供給するように、設計されることを特徴とする、請求項１７ないし２７のいずれか１項に記載の消費に適した飲料を用意する装置。
【請求項２９】
前記第１の飲料部分及び／又は前記第２の飲料部分に空気で泡立てる空気泡立て手段をさらに備えることを特徴とする、請求項１７ないし２８のいずれか１項に記載の消費に適した飲料を用意する装置。
【請求項３０】
前記第１の飲料部分を噴流の形態で分配するように設計されることを特徴とする、請求項１７ないし２９のいずれか１項に記載の消費に適した飲料を用意する装置。
【請求項３１】
前記第２の飲料部分を噴流の形態で分配するように設計されることを特徴とする、請求項１７ないし３０のいずれか１項に記載の消費に適した飲料を用意する装置。
【請求項３２】
前記バイパスチャネルは、入口における圧力に応じて開閉される感圧弁を備えることを特徴とする、請求項１８、１９、又は２１に記載の消費に適した飲料を用意する装置。
【請求項３３】
前記液体供給手段は、液体が前記第１のホルダシステムの前記流入側に供給される際の圧力を調節するように設計されることを特徴とする、請求項１７ないし３２のいずれか１項に記載の消費に適した飲料を用意する装置。
【請求項３４】
前記バイパスチャネルは、該バイパスチャネルの開閉用の弁を備え、該弁は、前記バイパスチャネル内の圧力が所定の値よりも低いと該バイパスチャネルを開放するように設計され、前記液体供給手段は、第２の量の液体が前記第１のホルダシステムの前記流入側に分配されているときに前記所定の値よりも低い圧力で前記第２の量の液体を分配して、前記バイパスチャネルの前記弁を開き、第１の量の液体が前記第１のホルダシステムの前記流入側に分配されているときに前記所定の値よりも高い圧力で前記第１の量の液体を分配して、前記バイパスチャネルの前記弁を閉じるように、さらに設計されることを特徴とする、請求項１８、１９、又は２１に記載の消費に適した飲料を用意する装置。
【請求項３５】
前記第１の成分及び前記第２の成分が充填されない、請求項１７ないし３４のいずれか１項に記載の消費に適した飲料を用意する装置。
【請求項３６】
前記成分の少なくとも１つは、水等の液体と接触すると泡を発生する物質を含むことを特徴とする、請求項１ないし１６のいずれか１項に記載の消費に適した飲料を用意する方法。
【請求項３７】
前記第１の成分は、挽いたコーヒーを含み、前記第２の成分は、粉乳／クリーマ及び水等の液体と接触すると泡を発生する物質を含むことを特徴とする、請求項３６に記載の消費に適した飲料を用意する方法。
【請求項３８】
前記成分の少なくとも１つは、水等の液体と接触すると泡を発生する物質を含むことを特徴とする、請求項１７ないし３４のいずれか１項に記載の消費に適した飲料を用意する装置。
【請求項３９】
前記第１の成分は、挽いたコーヒーを含み、前記第２の成分は、粉乳／クリーマ及び水等の液体と接触すると泡を発生する物質を含むことを特徴とする、請求項３８に記載の消費に適した飲料を用意する装置。